(57)【要約】【課題】帯の上部と下面に棘毛状突起があり、屈曲可能・軽量・可撓性材料からなる、薄く平坦な帯を備える、ヘアファスナーおよび毛髪量増強用具が記載されている。【解決手段】ワイヤーは、上述の薄く平坦な帯を構成する材料からなるシース（鞘状被覆体）の間に配置されている。着用者に着用される際に前記用具が見る人に気付かれないように、前記平坦な帯は着用者の毛髪の色と光沢に類似する色および光沢の表面仕上げを有する。前記用具を使用したヘアファスナー（毛髪固定）および毛髪量増強の方法は、毛髪に前記毛髪用用具を配置し、前記毛髪用用具を任意の方向に移動および／または曲げ、前記毛髪用用具の表面上にある棘毛状突起によって毛髪を前記用具に付着させる、といった工程を含み、これにより前記毛髪用具が、頭皮から離れた用具装着位置に毛髪を保持することによって毛髪の増強を提供すると共に、毛髪を適所に保持し、それによって毛髪量の見た目を増強するようにする。【選択図】  図２
2011500976.tif 000002
【特許請求の範囲】
【請求項１】
−  実質的に滑らかな第１の表面と、表面から延出する棘毛状突起を有する第２の表面とを有する材料からなる第１の屈曲可能平坦帯、と
−  実質的に滑らかな第１の表面と、表面から延出する棘毛状突起を有する第２の表面とを有する材料からなる第２の屈曲可能平坦帯；と
−  屈曲可能形状を維持するワイヤー；と
を備えるヘアホルダーおよび毛髪量増強用具であって、
前記第１の屈曲可能平坦帯は、本体を提供するために前記ワイヤーが前記第１の屈曲可能平坦帯と前記第２の屈曲可能平坦帯との間に少なくとも部分的に配置されるように、前記第２の屈曲可能平坦帯に付着され、前記第１の屈曲可能平坦帯と前記第２の屈曲可能平坦帯の棘毛状突起を有するそれぞれの前記第２の表面が、前記本体の外側に面することを特徴とするヘアホルダーおよび毛髪量増強用具。
【請求項２】
前記本体が、前記用具の使用者の毛髪の色に適合する色を有することを特徴とする請求項１に記載のヘアホルダーおよび毛髪量増強用具。
【請求項３】
前記本体が、長さが幅よりも大きい長さおよび幅を有することを特徴とする請求項１に記載のヘアホルダーおよび毛髪量増強用具。
【請求項４】
前記第１の帯が前記第２の帯に縫合されることによって付着されることを特徴とする請求項１に記載のヘアホルダーおよび毛髪量増強用具。
【請求項５】
前記ワイヤーは、前記第１の帯と前記第２の帯の間に織り込まれることを特徴とする請求項１に記載のヘアホルダーおよび毛髪量増強用具。
【請求項６】
前記本体が螺旋形状を有することを特徴とする請求項１に記載のヘアホルダーおよび毛髪量増強用具。
【請求項７】
着用者の毛髪が頭皮から離れた用具装着位置に前記棘毛状突起によって保持されるように、着用者の毛髪に前記用具を配置し、
前記用具を任意の方向に曲げ、
前記用具を着用者の毛髪で覆う
工程からなることを特徴とする請求項１に記載のヘアホルダーおよび毛髪量増強用具を用いて毛髪を保持し、毛髪量を増強する方法。
【発明の詳細な説明】
【技術分野】
【０００１】
本発明は、ヘアホルダーおよび毛髪増強用具に関するものであり、具体的には、ヘアファスナー（毛髪固定）用具に関するものである。
【背景技術】
【０００２】
薄く細い毛髪を有する男性と女性は、スタイリングする毛髪が僅かしかないため、スタイリングするには困難である。本明細書の説明のために、薄く細い毛髪は「薄毛」と、そしてそのような毛髪を有する成人を以下において「薄毛の成人」と称する。
【０００３】
薄毛は、特徴的には、頭蓋骨に対して横たわり、顔面に力無く垂れたり、頭部の周囲に散らばって平らになったりしている。薄毛の成人は、自分の毛髪を手入れする際に悩まされ、２つの主要な問題を有する：彼らは、毛髪量の外観を整えるのが困難であり（以下、「量の問題」と称する）、そして自分の毛髪を適所に保持するのが困難である（「保持の問題」）。
【０００４】
毛髪の量の問題と保持の問題は、歴史的に薄毛の成人にとって解決できない問題であった。従来のヘアファスナー用具は、これらの問題を解決しなかった。すなわち、従来技術の用具は、３種類の人間：即ち、乳児、少女、そして毛髪用用具を支持するのに十分な毛髪を有する幸運な女性、に適応する。
【０００５】
例えばボビーピン、バレッタ、櫛などの従来技術のヘアファスナー用具は、薄毛の外に滑り落ちたり、短時間だけ髪を止めたりし、毛髪を平らにして頭皮を露出させる傾向がある。例えばヘアーバンド、ポニーテール・ホルダーおよびヘアークリップ用具などのその他のヘアファスナー用具には、薄毛においては他の欠点がある。
【０００６】
ヘアーバンド、ポニーテール・ホルダーおよびヘアークリップは、薄毛の成人が着用すると、安定せず見栄えが悪い。ポニーテール・ホルダーは、薄毛を引っ張り、引きちぎってしまう。ヘアークリップは、頭皮に対して鋭利で不安定である。薄毛の成人にとって、上記のヘアファスナー用具は全て、着用者の毛髪の不足を示してしまう。
【０００７】
ある従来技術の毛髪用用具は、薄毛を適所に保持することを意図するにもかかわらず、乳児、少女、そして自分の毛髪に飾りを付けたい女性の毛髪だけに達成される。これらの従来技術の用具は、軽量構造と、見栄えが悪い締結機構と、さらにヘアファスナー用具を隠し頭部を装飾する装飾的部品とを有する。薄毛の成人が着用すると、これらの用具は、リボンや蝶結び、プラスチックの花やビーズがあり、頭髪で非常に目立つ。したがって若者向けの印象を与える。
これらの薄毛用の従来技術の用具の実施例は、以下の通りである。
【先行技術文献】
【特許文献】
【０００８】
【特許文献１】米国特許第４，８９６，６８５号明細書
【特許文献２】米国特許第６，１３１，５８５号明細書
【特許文献３】米国特許出願公開第２００３／０１７２９４８ Ａ１号公報
【０００９】
多くの社会において、非常に目立つ毛髪用用具は、男性が使用できないような若者向けおよび女性的なニュアンスがある。加えて、多くの女性は、非常に目立つ毛髪用用具が「小さい少女向き」、または、洗練されていない外見的印象を与えると考える。これら理由および下記で論じられるその他の理由により、薄毛用に提案される最近のヘアファスナー用具は、薄毛の成人には役立っていない。
【００１０】
特許文献１と特許文献３の用具は、可撓性の軽量材料で作成され；適所に毛髪を保持するために、中央で押し込まれる毛髪を挟み込む「フックおよびループ式ファブリック挟み」を使用する。適所に毛髪を保持するための「フックおよびループ式ファブリック挟み」を使用することは、これらの用具を取り外すときに、不快感と脱毛の両方を引き起こす。これまでに冬物の上着の着用時に「フックおよびループ式挟みのネックタブ」にセーターの繊維が絡まってしまった人ならば誰でも、非常に絡まった繊維に何が起こるかを伝えることができる。「フックおよびループ式のネックタブ」が上着を脱ぐ際に引き裂かれる場合、セーターの繊維も引き裂かれてしまう。それらの繊維は、「フックおよびループ挟み」に残る。そしてフックおよびループ式のヘアファスナーに保持される毛髪にも同じことが起こる。
【００１１】
特許文献２の毛髪用用具は、適所に毛髪を保持せず、むしろ小さな固定具によって毛髪の飾りを保持する。固定具は、その表面に接着されたファブリックに面するフックを有する小さいプラスチック円板で製造される。固定具は見栄えが悪いため、毛髪の下に埋設されなければならない。固定具は、その上部や側面に、接着剤かストリングのいずれかによって取り付けられた飾りを有する。固定具は、毛髪において飾りを固定するが、全く毛髪を適所に保持しない。薄毛の成人には、固定具は目立ち、見栄えが悪い。
【発明の概要】
【発明が解決しようとする課題】
【００１２】
本発明の対象であるヘアファスナーの発明者は、上述の用具全てを試着したが成功しなかった薄毛の成人である。従来技術の髪留めや髪飾り用具はいずれも、薄毛の成人が経験する「量の問題」や「保持の問題」を解決していない。
【００１３】
従来技術のヘアファスナー用具は、薄毛の成人に着用される場合、着用者の毛髪の不足を強調し、あるいは不安定で、見栄えが悪く、外見的に若者向けであり、ニュアンスにおいて女性的で、着用時に目立つ。
【課題を解決するための手段】
【００１４】
したがって、ヘアファスナー用具を提供する本発明の幾つかの目的および効果は、以下：
（i）  外見的な毛髪量を増強すると共に、適所に薄毛を保持する；
（ii）  着用時に見栄えが良い；
（iii）  着用し易くかつ取り外し易い；
（iv）  成人が着用するのに文化的に適切である；
（v）  男女共に着用可能である；
（vi）  男女両性に着用される際に、見る人に気付かれない；
（vii）  薄毛の女性にとってスタイリングできるようになり、且つ以前の従来技術の用具では達成不可能だったアップのヘアスタイルを可能にする；そして
（viii）  着用者が人工毛髪を彼／彼女自身の毛髪に固定することが可能となる；
という（i）〜（viii）の特徴を有する装置（締結具）を備えることである。
【発明の効果】
【００１５】
本発明によれば、薄毛用ヘアホルダーおよび増強用具は、棘毛状突起だらけの薄い帯状の本体を備えるヘアファスナー用具であり、このような棘毛状突起だらけの帯は、屈曲可能で、平坦で、可撓性を有し、軽量の、薄い材料である組成と堅さを有し、着用者による屈曲時に前記形状を維持することができ、前記本体の少なくとも上面と下面に棘毛状突起部分を有する。前記ヘアファスナー用具は、さらに好ましくは、着用者の毛髪に装着されるときに、棘毛状突起付の帯が気付かれないようにできる色および／または光沢、すなわち、着用者の毛髪に融合するように着用者の毛髪に類似または同一の色と光沢、を有する。
【００１６】
薄毛用ヘアホルダーおよび増強用具の更なる目的および効果は、図面および以下の説明から明瞭になるであろう。
【図面の簡単な説明】
【００１７】
【図１】本発明の薄毛用ヘアホルダー用具の第１実施例の側面図である。
【図２】分離した棘毛状突起付シース（鞘状被覆体）と、分離した棘毛状突起付シースの間に位置するワイヤーとを含む、図１のヘアホルダー用具の部分的分解図である。
【図３】図２の棘毛状突起付シース（鞘状被覆体）の詳細図である。
【図４】可撓性を有し且つ屈曲可能な薄毛用ヘアホルダーを示す図である。
【図５】男性に共通の短髪でのヘアホルダーの使用を示す図である。
【図６】女性に共通の長髪でのヘアホルダーの使用を示す図である。
【図７】使用中で、且つ毛髪に覆われたときに見る人に気付かれないヘアホルダーを示す図である。
【図８】ヘアホルダーがねじられ且つ曲げられたときの斜視図である。
【図９】螺旋構造を有するヘアホルダーの第２の実施例を示す図である。
【図１０】図９の螺旋状ヘアホルダーの毛髪における使用を示す図である。
【００１８】
言及される寸法の全て、そして使用される材料の説明の全ては、他の材料および他の寸法が使用されてもよいことから、単なる実施例として提供され、本発明の範囲を制限するものではない。
【発明を実施するための形態】
【００１９】
次に、本発明の薄毛用ヘアホルダー用具の好ましい実施例について説明する。
【００２０】
図１および図８は、薄毛用ヘアホルダーおよび増強用具の好ましい実施例を示す。この用具は、薄い帯１２を備えた本体１０を含む。前記帯１２は、上面１６ａと下面１６ｂの各面に棘毛状突起１４を有する、屈曲可能で、平坦で、可撓性を有し且つ軽量の材料でできており、したがって、二重の棘毛状突起付き面を有する帯である。前記複数の棘毛状突起は、本体上において直線状またはループ状の延長部の形状であってもよい。この用具が毛髪に融合し使用中に見る人に気付かれないようにするために、前記帯は色付きであってもよく、着用者の毛髪の色に類似する光沢を有してもよい。
【００２１】
図２は、図１に示されるヘアホルダー用具の部分２の部分的分解図を示す。前記ヘアホルダー用具の二重棘毛状突起付き帯状の本体は、好ましくは、分離し、同一でかつ屈曲可能で、平坦で、可撓性で且つ軽量の、薄い材料からなる２枚のシース１８ａと１８ｂを備える二重棘毛状突起付き帯１２で構成される。各シースは、１つの面に複数の棘毛状突起１４を有し、このようなシース（鞘状被覆体）はそれぞれ、反対側に滑らかな面を有する。
【００２２】
図２は、その上面と下面に多数の棘毛状突起を有する単一の二重棘毛状突起付き面の帯１０を形成するために、これらのシースの間に縫合された、または織り込まれた、さもなければ配置されたワイヤー２０を有する棘毛状突起付のシース１８ａと１８ｂを示す。変形例の構造は、前記二重棘毛状突起付き面ファブリックの可撓性材料中に織り込まれるワイヤーを有する二重棘毛状突起付き面を備えるように織り込まれる可撓性の材料を含んでもよい。
【００２３】
図３は、図２において円で囲まれた部分３の範囲におけるヘアホルダー用具の詳細を示す。
【００２４】
図４は、図１のヘアホルダーの使用中に屈曲可能な用具１０を示す。
【００２５】
図５は、短髪２２の人に対し、用具着用者の毛髪の色に適合する色を有する薄毛用ヘアホルダー用具の設置を示す。
【００２６】
図６は、長髪２４の人に対する薄毛用ヘアホルダー用具の設置を示す。毛髪は、図７に示すように着用される場合、着用者の毛髪に適合するように用具のサイズ、形状、色そして光沢により、見る人に気付かれないように、用具に巻きつけられてもよい。
【００２７】
図８は、さらに薄毛用ヘアホルダー用具１０の平坦かつ可撓性の性質を示す。
【００２８】
本発明の薄毛用ヘアホルダー用具は、様々な長さであってもよく、異なる形状に曲げられてもよい。
【００２９】
薄毛用ヘアホルダー用具の好ましい実施例は、次に述べる通りである：
−  ０．２ｃｍ（爪楊枝のサイズ）と同じ薄さの幅、
−  ３ｃｍ〜１５ｃｍの長さ（端から端までが爪楊枝一本または爪楊枝５本の長さ）で、より好ましい長さは約５ｃｍの長さであり、
−  わずか１．７グラムの重さ（爪楊枝より軽い重さ）
である。
【００３０】
上述のサイズは、短髪と長髪の両方に有効な平均サイズである。
【００３１】
薄毛用ヘアホルダー用具の好ましい実施例は、例えば、背中合わせに共に縫われ、滑らかな面と滑らかな面とが内側で対向し、棘毛状突起付シース（鞘状被覆体）の間に縫い込まれたワイヤーを有し、棘毛状突起付き面が外側に面する自己保持カーラー（セルフホールディングカーラー）において分かるように、棘毛状突起付材料の２枚のシースで製造することができる。
【００３２】
前記棘毛状突起付シースは、シース間に適所に保持されるように２枚のシース間のワイヤーと共に２枚の分離した棘毛状突起付シースの滑らかな面を縫い合わせることによって、互いに付着することができ、続いて縫い合わせることにより接合し、極めて薄い帯になるようシースを切断し（だいたい爪楊枝の幅からカセット録音テープに近い幅）、そして予定される着用者の毛髪の色と光沢と類似する着色と光沢を有する用具を提供するために、カモフラージュする溶液、すなわち、着色剤および／または軽量反射金属塗料の溶液を完成した帯に塗布する。
【００３３】
図５は、男性の短髪２２での薄毛用ヘアホルダー用具１０の使用を示す。毛髪に着用され、任意の方向に移動される場合、薄毛用ヘアホルダー用具に接触している毛髪は、薄毛用ヘアホルダー用具の表面の棘毛状突起に付着し、さらに付着状態を維持する。数本の髪の毛で覆われる場合、薄毛用ヘアホルダー用具は見る人に気付かれない。薄毛用ヘアホルダー用具の表面の棘毛状突起に対する毛髪の付着により、毛髪は適所に保持される。
【００３４】
この薄毛用ヘアホルダー用具は、数本の毛髪がこの用具の棘毛状突起に絡まると、その毛髪を自然に持ち上げることで毛髪の量を増し、毛髪の外見を増強（改善）する。毛髪の量は、毛髪が付着した棘毛状突起によって、このような装着位置にいつまでも毛髪を継続的に維持することによって、さらに増強される。さらに毛髪量は、図７に示すように、毛髪の表面下で当該用具を装着し、薄毛用ヘアホルダー用具をいかなる形状に曲げることによって増強されるが、その一方で、見る人には気付かれない。
【００３５】
図６は、図５における実施方法と同一である女性の長髪２４における薄毛用ヘアホルダー用具の実施を示す。
【００３６】
図７は、使用中の薄毛用ヘアホルダー用具を示し、さらに一旦毛髪で覆われれば、着用者の毛髪の下に着用される場合に当該用具は見る人に気付かれないことを示す。
【００３７】
図９および１０は、螺旋形状を有する薄毛用ヘアホルダー用具２６の別の実施例を示す。前記螺旋形状により、図１０に示されるように、薄毛用ヘアホルダー用具で毛髪２８を引っ張ったり梳いたりでき、ゆえに、より優れた保持力を達成し、それにより毛髪量を纏めて頭皮から離して毛髪を持ち上げることが可能となる。前記螺旋状の用具２６は、図１で示す用具１０と同様に構成される。前記ワイヤーは、ワイヤーが基本的に螺旋形状を維持できる剛性を有してもよい。
【産業上の利用可能性】
【００３８】
ここで開示される例示的実施態様は、徹底的であること、または、発明の範囲を不必要に制限することを目的としない。これらの例示的実施態様は、他の当業者が発明を実施できるように本発明の原理を説明するために選択且つ記載されたものである。当業者に明らかであるように、上述した説明の範囲内で様々な変更態様を作成することができる。当業者の能力の範囲内であるこのような変更態様は、本発明の一部を構成し、添付の特許請求の範囲によって包含される。
【符号の説明】
【００３９】
２      部分
３      円で囲まれた部分
１０    用具本体
１２    薄い帯
１４    棘毛状突起
１６ａ  上面
１６ｂ  下面
１８ａ  シース（鞘状被覆体）
１８ｂ  シース（鞘状被覆体）
２０    ワイヤー
２２    短髪
２４    長髪
２６    螺旋状のヘアホルダー用具
２８    毛髪
【図１】
2011500976.tif 000003
【図２】
2011500976.tif 000004
【図３】
2011500976.tif 000005
【図４】
2011500976.tif 000006
【図５】
2011500976.tif 000007
【図６】
2011500976.tif 000008
【図７】
2011500976.tif 000009
【図８】
2011500976.tif 000010
【図９】
2011500976.tif 000011
【図１０】
2011500976.tif 000012
【国際調査報告】
2011500976.tif 000013